(57)【要約】      （修正有）【課題】表示体の表示内容に応じて点灯ユニットの出力を適正にすることができるとともに、光源の寿命の最適化を図ることができる表示装置及び誘導灯を提供する。【解決手段】シンボル（表示内容）に応じて、点灯ユニット１０のインバータ回路１７の出力を容易に制御することができるため、高出力を必要としないシンボルにおいては、バーコード８４の情報を読取器８５が読み取ることにより点灯ユニット１０のインバータ回路１７の出力を制御ユニット１９によって低減させることができるので、点灯ユニット１０で消費する電力は抑制されることになり、また、光源３にかかる負荷も低減することができる。【選択図】図３
2009069593.tif 000002
【特許請求の範囲】
【請求項１】
光源と；
表示体を表示する表示部と；
電源からの給電によって光源を点灯させて表示体を照明する点灯ユニットと；
表示体の表示内容を識別し、識別した表示内容に応じて点灯ユニットの出力を制御する識別制御手段と；
を具備することを特徴とする表示装置。
【請求項２】
表示部は、避難方向を示す誘導表示体を有し、識別制御手段は、前記誘導表示体の種類を識別する請求項１記載の表示装置と；
停電時に商用電源からバッテリに切替えて光源を点灯させる非常用点灯ユニットと；
を具備していることを特徴とする誘導灯
【発明の詳細な説明】
【技術分野】
【０００１】
本発明は、表示装置及び誘導灯装置に関する。
【背景技術】
【０００２】
一般に誘導灯などの表示装置には、サイドライト方式のバックライトが多く用いられている。サイドライト方式とは、導光板などの導光手段の一端面から光を入射させ、端面と略直交する一面へ入射光を伝播し、この一面から光を出射させることで表示板を照射するものである。
【０００３】
また、前記誘導灯は、消防庁告示に基づき、その表示部に表示する誘導表示体が多種存在することも知られている。したがって、設置する箇所によって、複数種の誘導表示体を個別に用意しておかなくてはならないものであった。
【０００４】
これを解決するために、表示部の誘導表示体の表示を可変させる技術が知られている（例えば、特許文献１参照。）。
【０００５】
この特許文献１記載の技術は、表示部に液晶表示装置を用いており、制御部によって表示部の表示形態を変更するというものである。しかしながら、この従来技術は、液晶表示装置を用いるものであるので、高額となることは明らかであるし、制御部に不具合を生じると表示部に何ら誘導表示体が表示されないことになるので、誘導灯として求められる安全性を確保することはできないという課題がある。
【０００６】
そこで、現在も主流である専用の誘導表示体を有する誘導灯は今後も存在することが大いに考えられる（例えば、特許文献２参照）。
【０００７】
この特許文献２のような誘導灯に用いる点灯ユニットは、一般的にコストを考慮して誘導表示体毎に専用のものではなく、各種の誘導灯表示体に共通仕様のものが採用されている。
【０００８】
一方、前述したとおり、誘導表示体は複数種が存在することに加え、各用途毎に誘導表示体の輝度が規定されているという背景がある。
【０００９】
そこで、特許文献２のような専用の誘導表示体を有する誘導灯は、前記規定された輝度を満足するために最も輝度が得にくい状態の誘導表示体を使用した場合を基準として出力の設計を行うことで共通仕様を実現することができているものである。
【特許文献１】特開２００１−１００６７８号公報
【特許文献２】特開平１１−３０６８１７号公報
【発明の開示】
【発明が解決しようとする課題】
【００１０】
しかしながら、このような設計方法では、比較的輝度が得やすい状態の誘導表示体の場合に点灯ユニットが必要以上の出力をしていることになってしまうので、消費電力を余分に消費していたり、光源の寿命を短くしてしまうという課題があった。
【００１１】
本発明は、上記に鑑みなされたものであり、表示体の表示内容に応じて点灯ユニットの出力を適正にすることができるとともに、光源の寿命の最適化を図ることができる表示装置及び誘導灯を提供することを目的とする。
【課題を解決するための手段】
【００１２】
請求項１記載の表示装置は、光源と；表示体を表示する表示部と；電源からの給電によって光源を点灯させて表示体を照明する点灯ユニットと；表示体の表示内容を識別し、識別した表示内容に応じて点灯ユニットの出力を制御する識別制御手段と；を具備することを特徴とする。
【００１３】
請求項２記載の誘導灯は、表示部は、避難方向を示す誘導表示体を有し、識別制御手段は、前記誘導表示体の種類を識別する請求項１記載の表示装置と；停電時に商用電源からバッテリに切替えて光源を点灯させる非常用点灯ユニットと；を具備していることを特徴とする。
【００１４】
本発明及び以下の発明において、特に指定しない限り用語の定義および技術的意味は次による。
【００１５】
光源は、点光源、線状光源および面光源等いかなる形態のものであってもよく、さらに加えると蛍光ランプ、ＬＥＤおよび有機ＥＬ等の如何なる発光作用を奏するものであってもよい。
【００１６】
表示部は、光源によって照射され、文字、シンボル、画像または映像などを表示する表示体を備えたものであり、透光性樹脂やガラスなどに所望の塗料を印刷して表示体を形成するものや、液晶パネル又は薄肉状のフィルムなどが挙げられるが、本発明においては、表示体の表示内容が複雑に可変するものではなく、好適には表示体の表示内容は固定されているものである。また、表示部の表示体は、表示内容によって所望の輝度値を有するものであるが、所望の輝度値とは必ずしも公の規格等で決められているものではなくてもよく、表示装置を提供する提供側やユーザの要望によって決める輝度値であることも含むものである。
【００１７】
識別制御手段は、例えばバーコード、ＩＣタグ等の電気的信号処理によって表示体の表示内容を識別する方法や、表示部又は表示体を配設する際にスイッチ機構等による機械的検出手段によって表示体の表示内容を識別する方法等が上げられるが、具体的手段は特に限定されない。
【００１８】
また、識別制御手段における表示部の表示内容を識別する形態としては、例えば、シンボルが記載された表示体を着脱により表示部に設ける構成であれば、当該表示体の着脱に伴い、この表示体の種類を電気的信号処理又は機械的検出手段等により検出する方法や、例えば表示体と表示部とが一体の構成であれば、表示体が設けられる装置本体に当該表示体を設ける際に当該表示体の種類を電気的信号処理又は機械的検出手段等により検出するというものがある。また、例えば、表示部や表示体の装着前後にリモコン送信器や専用の切換えスイッチ等の操作によって外部から点灯ユニット信号を入力し、点灯ユニットは入力された信号に基づいて出力を制御する形態も含むものである。
【００１９】
本発明の作用を説明する。点灯ユニットは、識別制御手段の識別結果に基づいて出力が可変するものであるが、表示装置又は誘導灯の表示部の表示体の表示内容の種類が特定されている場合であって、各表示内容によって所望の輝度値が設定されている場合において、点灯ユニットの定常時の最大出力を最も輝度が得にくいシンボルの表示内容（以下、「高出力表示」という。）の場合になるように設定する。すると、点灯ユニットが最大の電力を消費するのは高出力表示の場合であるし、光源の寿命が最も短い状態は高出力表示の場合となる。
【００２０】
一方、前記のように高出力表示の場合を最大出力とした場合、高出力表示以外の表示内容を表示体に表示する場合には、輝度が高出力表示よりも得やすいので、点灯ユニットの出力を高出力表示の場合よりも低下させる。すると、点灯ユニットの消費する電力は抑制されるし、光源にかかる負荷も低減することにより高出力表示の場合よりも光源の寿命を延ばすことができる。
【００２１】
そして、本発明によれば、識別制御手段によって表示部の表示内容を識別することができるので、前記のように表示内容に応じて点灯ユニットの出力制御を行うことで複数種の表示内容を共通した点灯ユニットで実現しようとする場合において、表示内容によっては消費電力の低減に繋がるとともに、光源の長寿命化を図ることができる。
【００２２】
また、特に誘導灯の場合には、高出力表示となるのは表示体に緑色領域が多く存在するシンボルとなるが、高出力表示のシンボルが必ずしも多く用いられるということではないため、高出力表示における光源の寿命を安全性が所定期間確保できるレベルに設定すれば、他のシンボルの場合には安全性をより長い期間確保できる誘導灯にすることができるため、共通の点灯ユニットを用いる場合であっても経済的及び安全性に優れた誘導灯にすることができる。
【発明の効果】
【００２３】
本発明によれば、識別制御手段が表示体の表示内容により点灯ユニットの出力を可変するので、共通の点灯ユニットで複数種の表示内容を表示させる場合、高出力表示でない表示内容では消費電力を抑制することができるとともに、光源の寿命を延ばすことができる。
【発明を実施するための最良の形態】
【００２４】
本発明の一実施形態を図面を参照して説明する。図１は本実施形態の非常用照明装置である誘導灯を示した一部切欠き断面正面図、図２は本実施形態の誘導灯の斜視図、図３は本実施形態の誘導灯の回路構成図である。
【００２５】
非常用照明装置である誘導灯１は、器具本体９、点灯ユニット収納ボックス２、光源３、バッテリ２０、表示部８０、筐体５０、送受信ユニット７０等を具備しているものであって、天井または壁面に取付けられるものである。
【００２６】
器具本体９は、周枠部９１を有しており、その周枠部９１の一方側には開口部９８が形成され、他方側には底板９９が形成されている。
【００２７】
また器具本体９の周枠部９１の底辺９１Ａには第一、第二、第三および第四の孔部９２Ａ，９２Ｂ、９３，９４が形成されている。
【００２８】
また器具本体９の周枠部９１と底板９９とで形成された空間には電気部品収納部９５が形成されており、この収納部９５内に後述する点灯ユニット収納ボックス２、バッテリ２０および筐体５０が収納配置される。
【００２９】
また器具本体９の底板９９には点灯ユニット収納ボックス２の上方に壁面側から挿入される電源線の挿通用の電源線挿通孔９６が形成されており、同じく底板９９には誘導灯１を壁面に取付ける際に用いる取付用孔９７が形成されている。
【００３０】
光源３は、冷陰極蛍光ランプであって、誘導表示体８の上方に光源ホルダ３１によって位置するように設けられている。なお、この光源ホルダ３１は、両端部にソケット３２を具備し、さらに光源３の一部を覆うように反射板３３が形成されているものである。
【００３１】
表示部８０は、表示体である誘導表示体８と誘導表示体８を収納する枠体８１とで形成されている。この枠体８１は、図示しない底部、この底部から約９０度垂直に折曲した３辺の周壁部８２、この周壁部８２から各々内側へ約９０度折曲した枠部８３とで形成されている。そして、底部、周壁部８２，８２，８２及び枠部８３，８３，８３とで形成される溝に後述する誘導表示体８をスライドして設けるものである。
【００３２】
誘導表示体８は、表面に避難方向を示すシンボルが表示されるように形成されるものであって、本実施形態においては、その内部に図示しない導光板を有し、その導光板を重なり、かつ、導光板の周囲を覆うようにシンボルが印刷等された表示板を設けているものである。そして、上記導光板の一端部側から上記した光源３の出射光を入射させてシンボルを照明／表示させるものである。
【００３３】
また、誘導表示体８の一側側面の下部には、図２のＡの領域に示したように識別制御手段の一構成であるバーコード８４が配設されている。なお、図示しないが、バーコード８４が設けられる側の周壁部８２の内側には、誘導表示体８が枠体８１に配設された状態で前記バーコード８４と正対するようにバーコード８４の情報を読取る読取器が設けられている。
【００３４】
点灯ユニット収納ボックス２は、内部に後述する点灯ユニット１０等、光源３の点灯装置、バッテリ２０の充電回路及び種々の制御を行う制御部等が収納されている。この点灯ユニット収納ボックス２はネジ２５により器具本体９に固定されている。
【００３５】
バッテリ２０は、器具本体９の周枠部９１の底辺９１Ａであって、電気部品収納部９５側に位置するように底辺９１Ａに載置されている。そして、バッテリ２０から先端にコネクタ２１Ａを有する配線２１が点灯ユニット収納ボックス２から導出されている配線２２の先端のコネクタ２２Ａと接続することにより、点灯ユニット収納ボックス２内の点灯ユニット１０と電気的接続がなされている。
【００３６】
筐体５０は、図１，２に示したように、その底部５８から露出するように非常動作点検手段である押圧式の点検スイッチ５が設けられているとともに、底部５８には報知手段としてのＬＥＤ７が設けられている。そして、筐体５０の点検スイッチ５およびＬＥＤ７は、器具本体９の底辺９１Ａの第三および第四の孔部９３，９４から外報へ臨むように配設される。
【００３７】
送受信ユニット７０は、送信部７２と受信部７３とが設けられており、器具本体９の底辺９１Ａに載置して固定されている。そして、図２に示すように、送信部７２は底辺９１Ａの第一の孔部９２Ａと対向するように配設され、受信部７３は底辺９１Ａの第二の孔部９２Ｂと対向するように配設されている。
【００３８】
そして筐体５０と送受信ユニット７０とは、配線５１、７８を介して点灯ユニット収納ボックス２内の点灯ユニット１０と電気的接続がなされているものである。
【００３９】
次に本実施形態の誘導灯１の主なシステム構成について図３を参照して説明する。
【００４０】
点灯ユニット１０は、常用点灯回路１４、充電回路１５、発振制御部１６、インバータ回路１７及び制御部１９等からなっており、商用電源１１からの電源は整流回路１２に入力され、トランス１３を介して常用点灯回路１４および充電回路１５に入力される。そして、常用点灯回路１４は発振制御部１６により制御され、トランス１を介して入力された電力をインバータ回路１７で高周波電力に変換して光源３に点灯電力を供給する。
【００４１】
また、発振制御部１６は、制御部１９からの制御指令に基づいて制御され、常用点灯モードのときに常用点灯回路１４により光源３を高周波点灯させる。
【００４２】
一方、充電回路１５は、商用電源１１の非常時にバッテリ２０からの電源をインバータ回路１７を介して光源３に給電して光源３を点灯させるものであり、常用点灯モードのときには、トランス１３からの電力をバッテリ２０に充電している。そして、商用電源１１が停電等の非常時や点検スイッチ５が押操作された場合又は図示しないリモコン送信器による信号が受信されると、制御部１９は、充電回路１５に動作指令を出力してバッテリ２０の充電電力を放電することによりインバータ回路１７に供給させる。これにより、商用電源１１の停電時にはバッテリ２０からの充電電力がインバータ回路１７で高周波変換されて光源３に給電される。これにより、商用電源１１が停電等した場合であっても誘導灯１の光源３の点灯を継続できるようにしている。
【００４３】
なお、図示しないが、点検スイッチ５や外部の送信機であるリモコン端末からの赤外線による点検開始指令の信号を受信する受信部７２によって非常点検モードやいわゆる定期点検モードにする制御が制御部１９の制御によって可能となっている。
【００４４】
また制御部１９は、読取器８５からの信号が入力されるようになっている。この読取器８５は、前述したように枠体８１の周壁部８２に設けられるものであって、誘導表示体８のバーコード８４の情報を読取ると、その情報を制御部１９に送信するものである。そして、制御部１９は、バーコード８４からの情報が入力されると、この情報に基づいて少なくとも常用状態におけるインバータ回路１７の出力を制御する信号Ｘを送信するようになっており、インバータ回路１７は、制御部１９からの信号に基づいて光源３を点灯させる。なお、制御部１９からの信号Ｘによるインバータ１７の制御は、バッテリ２０からの放電によって光源３を点灯させる非常点灯時においてもインバータ１７の出力が制御されるように動作してもよい。
【００４５】
本実施形態の作用について説明する。まず、基本的な機能として誘導灯１は、商用電源１１が供給されている常時はバッテリ２０を充電回路で充電し、商用電源１１が遮断された停電時又は点検スイッチ５等操作によって、バッテリ２０からの放電により光源３がインバータ１７により点灯する。
【００４６】
ここで誘導灯１に誘導表示体８を設置する場合の動作及び作用について説明する。誘導灯１の点灯ユニット１０に対して商用電源１１又はバッテリ２０からの電力が供給されている状態とする。そして、点灯ユニット１０が収納される点灯ユニット収納ボックス２が配設されている状態の器具本体９に枠体８１に収納した状態の表示部８を配設する。このとき、点灯ユニット１０と読取器８５とを図示しないコネクタ等を用いて手動的に又は自動的に電気的接続する。すると、読取器８５は、読取器８５と対向するように設けられているバーコード８４の情報の読取を開始し、当該情報を点灯ユニット１０の制御ユニット１９に送信する。
【００４７】
次に、本実施形態における点灯ユニット１０の出力について説明する。
【００４８】
本実施形態においては、前提として、図１，２に記載したシンボルＢ（斜線部分が緑色領域、他部分は白色領域）と図４に示したシンボルＣ（斜線部分が緑色領域、他部分は白色領域）の２通りの誘導表示板８が設けられるシステムと仮定する。この場合、シンボルＢであると常用点灯回路１４及びインバータ回路１７の出力が１００％となるように点灯ユニット１０を設計し、規定の輝度値及び光源３の所定寿命を満たすようにしている。ゆえに、シンボルＢが配設されている情報を読取器８５が検出すると制御ユニット１９はインバータ回路１７が常時及び非常時のいずれも設計出力１００％となるように制御を行う。
【００４９】
一方、シンボルＣが配設されている情報を読取器８５が検出すると制御ユニット１９はインバータ回路１７が常時及び非常時のいずれも設計出力８５％となるように制御を行う。これは、シンボルＣはシンボルＢと比較して輝度を減衰させる緑色領域が少なく、白色領域が多い表示内容となっているため、シンボルＢと同等の光源３の光出力でなくとも充分に規定の輝度値を満足するためである。
【００５０】
したがって、本実施形態では、シンボル（表示内容）に応じて、点灯ユニット１０のインバータ回路１７の出力を容易に制御することができるため、高出力表示であるシンボルＢの場合に規定の輝度値を満足し、かつ、光源の寿命を安全性を所定期間確保できるレベルに設定さえすれば、高出力を必要としないシンボルＣにおいては、点灯ユニット１０のインバータ回路１７の出力をバーコード８４と読取器８５との組み合わせにより自動的に低減させることができるので、点灯ユニット１０で消費する電力は抑制されることになり、省電力可につなげることができる。また、光源３にかかる負荷も低減することによりシンボルＢの場合よりも光源の寿命を延ばすことができるため、メンテナンス性を向上することができる。
【００５１】
また、本実施形態では例示していないが、一般的に誘導灯１のシンボルとしては、シンボルＢよりも緑色領域が多く存在するシンボルが存在し、従来は、このシンボルにあわせて点灯ユニット１０の出力を設定していたが、当該シンボルは、多く用いられるタイプではないため、特にこのように使用頻度が少ないシンボルが高出力表示となり、使用頻度が多いシンボルが高出力表示とならないシステムである場合には、本実施形態のような制御は非常に有効となり、共通の点灯ユニット１０を用いる場合に経済的及び安全性に優れた誘導灯１にすることができる。
【図面の簡単な説明】
【００５２】
【図１】一実施形態の誘導灯を示した一部切欠き断面正面図
【図２】一実施形態の誘導灯の斜視図
【図３】一実施形態の誘導灯の回路構成図
【図４】一実施形態の誘導灯の誘導表示体の一例を示す正面図
【符号の説明】
【００５３】
３・・・光源、８・・・表示体である誘導表示体、１０・・・点灯ユニット、８０・・・表示部、８４，８５・・・識別制御手段であるバーコード、読取器、
【図１】
2009069593.tif 000003
【図２】
2009069593.tif 000004
【図３】
2009069593.tif 000005
【図４】
2009069593.tif 000006